(57)【要約】【課題】モバイルデバイス１０における処理負荷を増大させることなく、かつ、サーバデバイス２０からプレーヤデバイス３０へのコンテンツの転送を制御する。【解決手段】モバイルデバイス１０のホームネットワーク５０に属するサーバデバイス２０は、モバイルデバイス１０が移動先ネットワーク４０に在圏していると判断した場合に、移動先ネットワーク４０に属するプレーヤデバイス３０に対して、モバイルデバイス１０を介することなく、コンテンツを転送するように構成されており、サーバデバイス２０は、モバイルデバイス１０が移動先ネットワーク４０に在圏しなくなったと判断した場合に、プレーヤデバイス３０に対するコンテンツの転送を停止するように構成されている。【選択図】  図６
2009010912.tif 000002
【特許請求の範囲】
【請求項１】
サーバデバイスからプレーヤデバイスに対してコンテンツを転送する通信システムであって、
モバイルデバイスのホームネットワークに属する前記サーバデバイスは、該モバイルデバイスが移動先ネットワークに在圏していると判断した場合に、該移動先ネットワークに属する前記プレーヤデバイスに対して、該モバイルデバイスを介することなく、前記コンテンツを転送するように構成されており、
前記サーバデバイスは、前記モバイルデバイスが前記移動先ネットワークに在圏しなくなったと判断した場合に、前記プレーヤデバイスに対する前記コンテンツの転送を停止するように構成されていることを特徴とする通信システム。
【請求項２】
前記サーバデバイスは、前記モバイルデバイスから受信した移動通知に応じて、前記モバイルデバイスが前記移動先ネットワークに在圏しなくなったと判断するように構成されていることを特徴とする請求項１に記載の通信システム。
【請求項３】
前記モバイルデバイスは、前記移動先ネットワークに在圏している場合、前記サーバデバイスに対して、所定間隔で、所定信号を送信するように構成されており、
前記サーバデバイスは、前記所定信号を受信しなくなった場合に、前記モバイルデバイスが前記移動先ネットワークに在圏しなくなったと判断するように構成されていることを特徴とする請求項１に記載の通信システム。
【請求項４】
前記モバイルデバイスは、前記移動先ネットワークに在圏している場合、所定間隔で、前記サーバデバイスから送信された所定信号を受信し、該サーバデバイスに対して、該所定信号に対する応答信号を送信するように構成されており、
前記サーバデバイスは、前記応答信号を受信しなくなった場合に、前記モバイルデバイスが前記移動先ネットワークに在圏しなくなったと判断するように構成されていることを特徴とする請求項１に記載の通信システム。
【請求項５】
前記モバイルデバイスは、前記移動先ネットワークから離脱する際に、前記サーバデバイスに対して、移動通知及び接続継続通知を送信し、前記プレーヤデバイスに対して、所定期間或いは所定回数を示すサービス提供期間を通知するように構成されており、
前記接続継続通知は、前記所定期間或いは前記所定回数だけ、前記プレーヤデバイスから送信されたコンテンツリスト及びコンテンツ転送要求を受け入れるように要求するものであり、
前記サーバデバイスは、前記接続継続通知を受信した後、前記モバイルデバイスとの間で行われていた前記所定信号のやり取りを中止し、前記所定回数或いは前記所定期間だけ、前記コンテンツリスト或いは前記コンテンツを転送した後、該コンテンツリスト或いは該コンテンツの転送を停止するように構成されている請求項３又は４に記載の通信システム。
【請求項６】
前記モバイルデバイスは、前記移動先ネットワークに在圏している場合に、前記プレーヤデバイスに対して、前記コンテンツを保存するサーバデバイスのアドレス情報を含むコンテンツリストを送信するように構成されており、
前記プレーヤデバイスは、前記コンテンツリストに基づいて、前記サーバデバイスに対して、前記コンテンツを転送するように要求するコンテンツ転送要求を送信するように構成されており、
前記サーバデバイスは、前記コンテンツ転送要求に応じて、前記モバイルデバイスを介することなく、前記プレーヤデバイスに対して、前記コンテンツを転送するように構成されていることを特徴とする請求項１乃至５のいずれか一項に記載の通信システム。
【請求項７】
前記モバイルデバイスは、前記移動先ネットワークに在圏している場合に、前記プレーヤデバイスに対して、前記コンテンツを保存するサーバデバイスのアドレス情報を送信するように構成されており、
前記プレーヤデバイスは、前記アドレス情報に基づいて、前記サーバデバイスに対して、コンテンツリスト及び前記コンテンツを転送するように要求するコンテンツ転送要求を送信するように構成されており、
前記サーバデバイスは、前記コンテンツ転送要求に応じて、前記モバイルデバイスを介することなく、前記プレーヤデバイスに対して、前記コンテンツリスト及び前記コンテンツを転送するように構成されていることを特徴とする請求項１乃至５のいずれか一項に記載の通信システム。
【請求項８】
前記プレーヤデバイスは、前記コンテンツ転送要求と共に、前記モバイルデバイスから送信された認証情報を、前記サーバデバイスに対して送信するように構成されており、
前記サーバデバイスは、前記認証情報を用いた認証処理に成功した場合に、前記プレーヤデバイスに対して、前記モバイルデバイスを介することなく、前記コンテンツを転送するように構成されていることを特徴とする請求項６に記載の通信システム。
【請求項９】
前記モバイルデバイスは、前記移動先ネットワークに在圏している場合に、前記サーバデバイスに対して、前記コンテンツを前記プレーヤデバイスに転送するように要求するコンテンツ転送要求を送信するように構成されており、
前記サーバデバイスは、前記コンテンツ転送要求に応じて、前記プレーヤデバイスに対して、前記コンテンツを転送するように構成されていることを特徴とする請求項１乃至５のいずれか一項に記載の通信システム。
【請求項１０】
前記モバイルデバイスは、前記移動先ネットワークに在圏している場合に、前記プレーヤデバイスに対して、前記コンテンツを前記サーバデバイスから取得するように要求するコンテンツ取得要求を送信するように構成されており、
前記プレーヤデバイスは、前記コンテンツ取得要求に応じて、前記サーバデバイスに対して前記コンテンツ取得要求を送信することによって、前記サーバデバイスから前記コンテンツを取得するように構成されていることを特徴とする請求項１乃至５のいずれか一項に記載の通信システム。
【請求項１１】
前記モバイルデバイスは、前記ホームネットワークに在圏している場合に、前記コンテンツリストを取得するように構成されており、
前記モバイルデバイスは、取得した前記コンテンツリストに含まれる前記アドレス情報を、前記プレーヤデバイスから該サーバデバイスにアクセス可能なアドレス情報に変換するように構成されており、
前記モバイルデバイスは、前記移動先ネットワークに在圏している場合に、前記プレーヤデバイスに対して、変換された前記アドレス情報を含むコンテンツリストを送信するように構成されていることを特徴とする請求項６に記載の通信システム。
【請求項１２】
前記モバイルデバイスは、前記ホームネットワークに在圏している場合に、前記コンテンツリストを取得するように構成されており、
前記モバイルデバイスは、前記移動先ネットワークに在圏している場合に、前記サーバデバイスから、前記コンテンツリストの差分情報を取得するように構成されており、
前記モバイルデバイスは、前記移動先ネットワークに在圏している場合に、取得した前記コンテンツリスト及び前記差分情報に基づいて生成した前記コンテンツリストを、前記プレーヤデバイスに対して送信するように構成されていることを特徴とする請求項６に記載の通信システム。
【請求項１３】
前記モバイルデバイスは、前記コンテンツの再生状況を示す視聴途中情報を、前記プレーヤデバイスに対して送信するように構成されており、
前記プレーヤデバイスは、前記視聴途中情報に基づいて、前記サーバデバイスから転送された前記コンテンツを再生するように構成されていることを特徴とする請求項１に記載の通信システム。
【請求項１４】
前記モバイルデバイスは、前記プレーヤデバイスに対して転送可能なコンテンツについての制約事項を前記サーバデバイスから取得して、取得した該制約事項を該プレーヤデバイスに対して通知するように構成されており、
前記プレーヤデバイスは、通知された前記制約事項に基づいて、前記サーバデバイスから前記コンテンツを取得するように構成されていることを特徴とする請求項１に記載の通信システム。
【請求項１５】
前記モバイルデバイスは、前記サーバデバイスから前記プレーヤデバイスに対して転送されている前記コンテンツに関する付帯情報を取得して表示するように構成されていることを特徴とする請求項１に記載の通信システム。
【請求項１６】
前記モバイルデバイスは、前記プレーヤデバイスに対して、該モバイルデバイスに保存されているコンテンツの識別情報を通知するように構成されていることを特徴とする請求項６に記載の通信システム。
【請求項１７】
前記モバイルデバイスは、前記サーバデバイスによるコンテンツの転送状況を取得し、該転送状況に基づいて所定条件を満たすと判定するコンテンツを該サーバデバイスから取得し、取得した該コンテンツを前記プレーヤデバイスに対して送信するように構成されていることを特徴とする請求項１に記載の通信システム。
【請求項１８】
サーバデバイスからプレーヤデバイスに対してコンテンツを転送する通信システムであって、
モバイルデバイスの移動先ネットワークに属する前記サーバデバイスは、該モバイルデバイスが該移動先ネットワークに在圏していると判断した場合に、該モバイルデバイスのホームネットワークに属する前記プレーヤデバイスに対して、該モバイルデバイスを介することなく、前記コンテンツを転送するように構成されており、
前記サーバデバイスは、前記モバイルデバイスが前記移動先ネットワークに在圏しなくなったと判断した場合に、前記プレーヤデバイスに対する前記コンテンツの転送を停止するように構成されていることを特徴とする通信システム。
【請求項１９】
プレーヤデバイスに対してコンテンツを転送するサーバデバイスであって、
モバイルデバイスのホームネットワークに属しており、
前記モバイルデバイスが移動先ネットワークに在圏していると判断した場合に、該移動先ネットワークに属する前記プレーヤデバイスに対して、該モバイルデバイスを介することなく、前記コンテンツを転送するように構成されており、
前記モバイルデバイスが前記移動先ネットワークに在圏しなくなったと判断した場合に、前記プレーヤデバイスに対する前記コンテンツの転送を停止するように構成されていることを特徴とするサーバデバイス。
【請求項２０】
サーバデバイスからプレーヤデバイスに対してコンテンツを転送する通信システムで用いられるモバイルデバイスであって、
移動先ネットワークに在圏している場合に、前記プレーヤデバイスに対して、前記コンテンツを保存するサーバデバイスのアドレス情報を含むコンテンツリストを送信するように構成されており、
前記移動先ネットワークに在圏しなくなることを通知するための移動通知を送信することによって、前記モバイルデバイスを介することなく前記サーバデバイスから前記プレーヤデバイスに対して前記コンテンツを送信することを停止するように指示することを特徴とするモバイルデバイス。
【発明の詳細な説明】
【技術分野】
【０００１】
本発明は、通信システム、サーバデバイス及びモバイルデバイスに関する。
【背景技術】
【０００２】
近年、携帯電話端末やＰＤＡ（Ｐｅｒｓｏｎａｌ  Ｄｉｇｉｔａｌ  Ａｓｓｉｓｔａｎｔｓ）端末等のモバイルデバイスの高機能化やストレージサイズの拡大に伴い、従来、パソコンやＨＤＲ（Ｈａｒｄ  Ｄｉｓｋ  Ｒｅｃｏｒｄｅｒ）のＨＤＤ（Ｈａｒｄ  Ｄｉｓｋ  Ｄｒｉｖｅ）に保存されているコンテンツ（例えば、映像）を、ＣＦ（Ｃｏｍｐａｃｔ  Ｆｌａｓｈ）カードやＳＤカード等のリムーバブルメディアを経由してモバイルデバイスに転送し、或いは、ＵＳＢケーブルを介してモバイルデバイスに転送し、外出先において、当該コンテンツをモバイルデバイスで再生（視聴）することが可能となってきた。
【０００３】
このようなモバイルデバイスへのコンテンツの転送及びモバイルデバイスでのコンテンツの再生を実現するための圧縮方式として、ＭＰＥＧ４又はＨ.２６４形式の圧縮方式を採用することによって、数ギガバイト（ＧＢ）のリムーバブルメディアに対して、数時間から十数時間に及ぶ再生時間のコンテンツを保存することが可能となっている。
【０００４】
しかしながら、パソコンやＨＤＲに搭載されるＨＤＤは、数百ギガバイト（ＧＢ）から数テラバイト（ＴＢ）の容量を持ち、数百時間から数千時間に及ぶ再生時間のコンテンツの録画が可能であることに比べると、十分な再生時間のコンテンツを保存できるとは言い難い。
【０００５】
そこで、モバイルデバイスが在圏する移動先ネットワークに属するプレーヤデバイスを用いて、モバイルデバイスのホームネットワークに属するサーバデバイスに保存されているコンテンツを再生する技術が知られている。
【０００６】
具体的には、かかる技術では、図２０に示すように、モバイルデバイス１０のホームネットワーク５０に属するサーバデバイス２０（又は、中継サーバデバイス５００）が、当該中継サーバデバイス５００と移動先ネットワーク４０に在圏する当該モバイルデバイス１０との間で確立されたセキュアトンネルを介して、移動先ネットワーク４０に属するプレーヤデバイス３０に対して、コンテンツを送信するように構成されている。
【０００７】
或いは、かかる技術では、図２１に示すように、モバイルデバイス１０が、サーバデバイス２０（又は、中継サーバデバイス５００）から、当該中継サーバデバイス５００とモバイルデバイス１０との間で確立されたセキュアトンネルを介して、コンテンツを取得する権限を取得し、かかる権限をプレーヤデバイス３０に与えた後、当該プレーヤデバイス３０が、かかる権限を用いて、当該中継サーバデバイス５００と当該プレーヤデバイス３０との間で確立されたセキュアトンネルを介して、当該サーバデバイス２０（又は、中継サーバデバイス５００）からコンテンツを取得して再生するように構成されている。
【特許文献１】特開２００７-７４５２９号公報
【特許文献２】特開２００３-４６９５８号公報
【特許文献３】特開２００５-３１８０３号公報
【特許文献４】特開２００６-５３６７３号公報
【特許文献５】特開２００２-３４４４７５号公報
【特許文献６】特許３８１０２６５
【発明の開示】
【発明が解決しようとする課題】
【０００８】
しかしながら、図２０に示す構成では、サーバデバイス２０（或いは、中継サーバデバイス５００）から送信されたコンテンツは、モバイルデバイス１０によって中継されてプレーヤデバイス３０に到達するため、モバイルデバイス１０における処理負荷が高くなってしまうという問題点があった。
【０００９】
また、図２１に示す構成では、モバイルデバイス１０は、プレーヤデバイス３０に対して上述の権限を与えた後は、サーバデバイス２０（又は、中継サーバデバイス５００）から該プレーヤデバイス３０へのコンテンツの転送に関わることができないため、当該モバイルデバイス１０が移動先ネットワーク４０に在圏しなくなった場合であっても、かかるコンテンツの転送が継続され、当該モバイルデバイス１０からの制御を逐次行うことができないという問題点があった。
【００１０】
そこで、本発明は、上述の課題に鑑みてなされたものであり、モバイルデバイスが、移動先ネットワークに在圏している場合にのみ、当該モバイルデバイスを介することなくサーバデバイス（又は、中継サーバデバイス）から該プレーヤデバイス３０へのコンテンツを転送するように構成することによって、モバイルデバイスにおける処理負荷を増大させることなく、かつ、かかるコンテンツの転送を制御することができる通信システム、サーバデバイス及びモバイルデバイスを提供することを目的とする。
【課題を解決するための手段】
【００１１】
本発明の第１の特徴は、サーバデバイスからプレーヤデバイスに対してコンテンツを転送する通信システムであって、モバイルデバイスのホームネットワークに属する前記サーバデバイスは、該モバイルデバイスが移動先ネットワークに在圏していると判断した場合に、該移動先ネットワークに属する前記プレーヤデバイスに対して、該モバイルデバイスを介することなく、前記コンテンツを転送するように構成されており、前記サーバデバイスは、前記モバイルデバイスが前記移動先ネットワークに在圏しなくなったと判断した場合に、前記プレーヤデバイスに対する前記コンテンツの転送を停止するように構成されていることを要旨とする。
【００１２】
本発明の第１の特徴において、前記サーバデバイスは、前記モバイルデバイスから受信した移動通知に応じて、前記モバイルデバイスが前記移動先ネットワークに在圏しなくなったと判断するように構成されていてもよい。
【００１３】
本発明の第１の特徴において、前記モバイルデバイスは、前記移動先ネットワークに在圏している場合、前記サーバデバイスに対して、所定間隔で、所定信号を送信するように構成されており、前記サーバデバイスは、前記所定信号を受信しなくなった場合に、前記モバイルデバイスが前記移動先ネットワークに在圏しなくなったと判断するように構成されていてもよい。
【００１４】
本発明の第１の特徴において、前記モバイルデバイスは、前記移動先ネットワークに在圏している場合、所定間隔で、前記サーバデバイスから送信された所定信号を受信し、該サーバデバイスに対して、該所定信号に対する応答信号を送信するように構成されており、前記サーバデバイスは、前記応答信号を受信しなくなった場合に、前記モバイルデバイスが前記移動先ネットワークに在圏しなくなったと判断するように構成されていてもよい。
【００１５】
本発明の第１の特徴において、前記モバイルデバイスは、前記移動先ネットワークから離脱する際に、前記サーバデバイスに対して、移動通知及び接続継続通知を送信し、前記プレーヤデバイスに対して、所定期間或いは所定回数を示すサービス提供期間を通知するように構成されており、前記接続継続通知は、前記所定期間或いは前記所定回数だけ、前記プレーヤデバイスから送信されたコンテンツリスト及びコンテンツ転送要求を受け入れるように要求するものであり、前記サーバデバイスは、前記接続継続通知を受信した後、前記モバイルデバイスとの間で行われていた前記所定信号のやり取りを中止し、前記所定回数或いは前記所定期間だけ、前記コンテンツリスト或いは前記コンテンツを転送した後、該コンテンツリスト或いは該コンテンツの転送を停止するように構成されていてもよい。
【００１６】
本発明の第１の特徴において、前記モバイルデバイスは、前記移動先ネットワークに在圏している場合に、前記プレーヤデバイスに対して、前記コンテンツを保存するサーバデバイスのアドレス情報を含むコンテンツリストを送信するように構成されており、前記プレーヤデバイスは、前記コンテンツリストに基づいて、前記サーバデバイスに対して、前記コンテンツを転送するように要求するコンテンツ転送要求を送信するように構成されており、前記サーバデバイスは、前記コンテンツ転送要求に応じて、前記モバイルデバイスを介することなく、前記プレーヤデバイスに対して、前記コンテンツを転送するように構成されていてもよい。
【００１７】
本発明の第１の特徴において、前記モバイルデバイスは、前記移動先ネットワークに在圏している場合に、前記プレーヤデバイスに対して、前記コンテンツを保存するサーバデバイスのアドレス情報を送信するように構成されており、前記プレーヤデバイスは、前記アドレス情報に基づいて、前記サーバデバイスに対して、コンテンツリスト及び前記コンテンツを転送するように要求するコンテンツ転送要求を送信するように構成されており、前記サーバデバイスは、前記コンテンツ転送要求に応じて、前記モバイルデバイスを介することなく、前記プレーヤデバイスに対して、前記コンテンツリスト及び前記コンテンツを転送するように構成されていてもよい。
【００１８】
本発明の第１の特徴において、前記プレーヤデバイスは、前記コンテンツ転送要求と共に、前記モバイルデバイスから送信された認証情報を、前記サーバデバイスに対して送信するように構成されており、前記サーバデバイスは、前記認証情報を用いた認証処理に成功した場合に、前記プレーヤデバイスに対して、前記モバイルデバイスを介することなく、前記コンテンツを転送するように構成されていてもよい。
【００１９】
本発明の第１の特徴において、前記モバイルデバイスは、前記移動先ネットワークに在圏している場合に、前記サーバデバイスに対して、前記コンテンツを前記プレーヤデバイスに転送するように要求するコンテンツ転送要求を送信するように構成されており、前記サーバデバイスは、前記コンテンツ転送要求に応じて、前記プレーヤデバイスに対して、前記コンテンツを転送するように構成されていてもよい。
【００２０】
本発明の第１の特徴において、前記モバイルデバイスは、前記移動先ネットワークに在圏している場合に、前記プレーヤデバイスに対して、前記コンテンツを前記サーバデバイスから取得するように要求するコンテンツ取得要求を送信するように構成されており、前記プレーヤデバイスは、前記コンテンツ取得要求に応じて、前記サーバデバイスに対して前記コンテンツ取得要求を送信することによって、前記サーバデバイスから前記コンテンツを取得するように構成されていてもよい。
【００２１】
本発明の第１の特徴において、前記モバイルデバイスは、前記ホームネットワークに在圏している場合に、前記コンテンツリストを取得するように構成されており、前記モバイルデバイスは、取得した前記コンテンツリストに含まれる前記アドレス情報を、前記プレーヤデバイスから該サーバデバイスにアクセス可能なアドレス情報に変換するように構成されており、前記モバイルデバイスは、前記移動先ネットワークに在圏している場合に、前記プレーヤデバイスに対して、変換された前記アドレス情報を含むコンテンツリストを送信するように構成されていてもよい。
【００２２】
本発明の第１の特徴において、前記モバイルデバイスは、前記ホームネットワークに在圏している場合に、前記コンテンツリストを取得するように構成されており、前記モバイルデバイスは、前記移動先ネットワークに在圏している場合に、前記サーバデバイスから、前記コンテンツリストの差分情報を取得するように構成されており、前記モバイルデバイスは、前記移動先ネットワークに在圏している場合に、取得した前記コンテンツリスト及び前記差分情報に基づいて生成した前記コンテンツリストを、前記プレーヤデバイスに対して送信するように構成されていてもよい。
【００２３】
本発明の第１の特徴において、前記モバイルデバイスは、前記コンテンツの再生状況を示す視聴途中情報を、前記プレーヤデバイスに対して送信するように構成されており、前記プレーヤデバイスは、前記視聴途中情報に基づいて、前記サーバデバイスから転送された前記コンテンツを再生するように構成されていてもよい。
【００２４】
本発明の第１の特徴において、前記モバイルデバイスは、前記プレーヤデバイスに対して転送可能なコンテンツについての制約事項を前記サーバデバイスから取得して、取得した該制約事項を該プレーヤデバイスに対して通知するように構成されており、前記プレーヤデバイスは、通知された前記制約事項に基づいて、前記サーバデバイスから前記コンテンツを取得するように構成されていてもよい。
【００２５】
本発明の第１の特徴において、前記モバイルデバイスは、前記サーバデバイスから前記プレーヤデバイスに対して転送されている前記コンテンツに関する付帯情報を取得して表示するように構成されていてもよい。
【００２６】
本発明の第１の特徴において、前記モバイルデバイスは、前記プレーヤデバイスに対して、該モバイルデバイスに保存されているコンテンツの識別情報を通知するように構成されていてもよい。
【００２７】
本発明の第１の特徴において、前記モバイルデバイスは、前記サーバデバイスによるコンテンツの転送状況を取得し、該転送状況に基づいて所定条件を満たすと判定するコンテンツを該サーバデバイスから取得し、取得した該コンテンツを前記プレーヤデバイスに対して送信するように構成されていてもよい。
【００２８】
本発明の第２の特徴は、サーバデバイスからプレーヤデバイスに対してコンテンツを転送する通信システムであって、モバイルデバイスの移動先ネットワークに属する前記サーバデバイスは、該モバイルデバイスが該移動先ネットワークに在圏していると判断した場合に、該モバイルデバイスのホームネットワークに属する前記プレーヤデバイスに対して、該モバイルデバイスを介することなく、前記コンテンツを転送するように構成されており、前記サーバデバイスは、前記モバイルデバイスが前記移動先ネットワークに在圏しなくなったと判断した場合に、前記プレーヤデバイスに対する前記コンテンツの転送を停止するように構成されていることを要旨とする。
【００２９】
本発明の第３の特徴は、プレーヤデバイスに対してコンテンツを転送するサーバデバイスであって、モバイルデバイスのホームネットワークに属しており、前記モバイルデバイスが移動先ネットワークに在圏していると判断した場合に、該移動先ネットワークに属する前記プレーヤデバイスに対して、該モバイルデバイスを介することなく、前記コンテンツを転送するように構成されており、前記モバイルデバイスが前記移動先ネットワークに在圏しなくなったと判断した場合に、前記プレーヤデバイスに対する前記コンテンツの転送を停止するように構成されていることを要旨とする。
【００３０】
本発明の第４の特徴は、サーバデバイスからプレーヤデバイスに対してコンテンツを転送する通信システムで用いられるモバイルデバイスであって、移動先ネットワークに在圏している場合に、前記プレーヤデバイスに対して、前記コンテンツを保存するサーバデバイスのアドレス情報を含むコンテンツリストを送信するように構成されており、前記移動先ネットワークに在圏しなくなることを通知するための移動通知を送信することによって、前記モバイルデバイスを介することなく前記サーバデバイスから前記プレーヤデバイスに対して前記コンテンツを送信することを停止するように指示することを要旨とする。
【発明の効果】
【００３１】
以上説明したように、本発明によれば、モバイルデバイスが、移動先ネットワークに在圏している場合にのみ、当該モバイルデバイスを介することなくサーバデバイス（又は、中継サーバデバイス）から該プレーヤデバイス３０へのコンテンツを転送するように構成することによって、モバイルデバイスにおける処理負荷を増大させることなく、かつ、かかるコンテンツの転送を制御することができる通信システム、サーバデバイス及びモバイルデバイスを提供することができる。
【発明を実施するための最良の形態】
【００３２】
（本発明の第１の実施形態に係る通信システムの構成）
図１乃至図５を参照して、本発明の第１の実施形態に係る通信システムの構成について説明する。
【００３３】
図１に示すように、本実施形態に係る通信システムは、モバイルデバイス１０と、サーバデバイス２０と、プレーヤデバイス３０と、中継サーバデバイス５００とを具備している。
【００３４】
図１の例では、サーバデバイス２０及び中継サーバデバイス５００は、モバイルデバイス１０のホームネットワーク５０に属している。また、図１の例では、モバイルデバイス１０は、移動先ネットワーク４０に在圏しており、プレーヤデバイス３０は、かかる移動先ネットワーク４０に属している。
【００３５】
ここで、中継サーバデバイス５００は、ホームネットワーク５０に属するＢＢＲ（Ｂｒｏａｄ  Ｂａｎｄ  Ｒｏｕｔｅｒ）５１０とインターネット６０と移動先ネットワーク４０に属するＢＢＲ４１０とを介して、モバイルデバイス１０との間でコネクション＃１を確立するように構成されている。
【００３６】
また、中継サーバデバイス５００は、ＢＢＲ（Ｂｒｏａｄ  Ｂａｎｄ  Ｒｏｕｔｅｒ）５１０とインターネット６０とＢＢＲ４１０とを介して、プレーヤデバイス３０との間でコネクション＃３を確立するように構成されている。
【００３７】
また、中継サーバデバイス５００は、ホームネットワーク５０内に複数のサーバデバイス２０が存在する場合に、かかる複数のサーバデバイス２０に保存されているコンテンツ及びコンテンツリスト（後述）を管理し、かかる複数のサーバデバイス２０の代わりに、モバイルデバイス１０及びプレーヤデバイス３０との間で通信を行うように構成されている。
【００３８】
以下、本実施形態では、中継サーバデバイス５００が、ホームネットワーク５０内に属する複数のサーバデバイス２０の代理を行う例について説明するが、本発明は、中継サーバデバイス５００が、複数のサーバデバイス２０の代理を行わない例についても適用可能である。
【００３９】
したがって、本明細書における「サーバデバイス」という用語には、サーバデバイス２０及び中継サーバデバイス５００の両方が含まれているものとする。
【００４０】
モバイルデバイス１０は、無線ＬＡＮや、近傍無線通信（Ｂｌｕｅｔｏｏｔｈ（登録商標）や赤外線通信等）或いは有線通信（ＵＳＢ（Ｕｎｉｖｅｒｓａｌ  Ｓｅｒｉａｌ  Ｂｕｓ）ケーブル接続等）によって、プレーヤデバイス３０との間でコネクション＃２を確立するように構成されている。
【００４１】
また、インターネット６０には、ＤＤＮＳ（Ｄｙｎａｍｉｃ  Ｄｏｍａｉｎ  Ｎａｍｅ  Ｓｅｒｖｅｒ）７０が接続されている。ＤＤＮＳ７０は、ホスト名と、動的なグローバルＩＰアドレスとを関連付けて管理するように構成されている。
【００４２】
以下、本実施形態では、インターネット６０を介してモバイルデバイス１０とサーバデバイス２０とプレーヤデバイス３０との間で行われる通信が、ＩＰに準拠している場合について説明するが、かかる通信が準拠するべき通信プロトコルは、ＩＰに限定されるものではない。
【００４３】
なお、本実施形態では、モバイルデバイス１０、サーバデバイス２０及びプレーヤデバイス３０は、ＩＰに従って通信を行うＰＣ（Ｐｅｒｓｏｎａｌ  Ｃｏｍｐｕｔｅｒ）であってもよいし、ＩＰに従って通信を行うＰＤＡ（Ｐｅｒｓｏｎａｌ  Ｄｉｇｉｔａｌ  Ａｓｓｉｓｔａｎｔｓ）端末や携帯電話端末であってもよい。
【００４４】
すなわち、モバイルデバイス１０、サーバデバイス２０及びプレーヤデバイス３０は、所定の通信プロトコルに従って通信を行う機能を有するコンピュータ装置であれば、任意のコンピュータ装置であってもよい。
【００４５】
図２に、モバイルデバイス１０のハードウェア構成について示す。モバイルデバイス１０のハードウェア構成は、一般的なコンピュータ装置のハードウェア構成と同様であるから、本発明に関連するハードウェア構成のみについて、図２を参照しながら説明する。
【００４６】
ＣＰＵ１０１は、記憶部１０５に記憶されているプログラムを実行することにより、モバイルデバイス１０のハードウェア構成の各部に対する制御を行うように構成されている。
【００４７】
記憶部１０５は、ＲＡＭ（Ｒａｎｄｏｍ  Ａｃｃｅｓｓ  Ｍｅｍｏｒｙ）１０２と、ＲＯＭ（Ｒｅａｄ  Ｏｎｌｙ  Ｍｅｍｏｒｙ）１０３とによって構成されている。
【００４８】
ＲＡＭ１０２は、ＣＰＵ１０１によって使用されるデータを一時的に記憶するように構成されている。
【００４９】
ＲＯＭ１０３は、ＣＰＵ１０１に対して、後述するプログラム１００Ａを記憶するように構成されている。
【００５０】
操作部１０４は、キーボードやマウス等によって構成されており、ユーザ操作に応じた操作命令をＣＰＵ１０１に通知するように構成されている。
【００５１】
通信モジュール１０６は、サーバデバイス２０又は中継サーバデバイス５００及びプレーヤデバイス３０との間で通信を行うように構成されている。
【００５２】
セキュリティモジュール１０７は、認証処理や暗号化処理に必要な情報を管理するように構成されている。
【００５３】
リムーバブルメディア１０８は、サーバデバイス２０（又は、中継サーバデバイス５００）から取得したコンテンツやコンテンツリストを記憶するように構成されている。
【００５４】
次に、図３を参照して、本実施形態に係るモバイルデバイス１０の機能について説明する。図３に示すように、本実施形態に係るモバイルデバイス１０の機能は、ＣＰＵ１０１がプログラム１００Ａを実行することによって実現される。
【００５５】
図３に示すように、本実施形態に係るモバイルデバイス１０の機能は、仮想サーバデバイス起動部１１と、サーバデバイス情報取得部１１Ａと、コンテンツリスト転送要求送信部１２と、コンテンツリスト送信部１３と、移動通知送信部１４とを具備している。
【００５６】
サーバデバイス情報取得部１１Ａは、操作部１０４を用いたユーザ操作に応じて、通信モジュール１０６を介して、サーバデバイス情報確認要求を送信することによって、サーバデバイス２０（又は、中継サーバデバイス５００）から、ホームネットワーク５０に属する１つ又は複数のサーバデバイス２０を示すサーバデバイス情報を取得するように構成されている。
【００５７】
仮想サーバデバイス起動部１１は、プレーヤデバイス３０に対して、サーバデバイス２０の一部の機能を提供するように構成されている。
【００５８】
例えば、仮想サーバデバイス起動部１１は、操作部１０４を用いたユーザ操作に応じて、プレーヤデバイス３０に対して、上述のサーバデバイス情報を提供するように構成されている。
【００５９】
コンテンツリスト転送要求送信部１２は、通信モジュール１０６を介してプレーヤデバイス３０から受信したコンテンツリスト転送要求を、当該通信モジュール１０６を介してサーバデバイス２０（又は、中継サーバデバイス５００）に送信するように構成されている。
【００６０】
ここで、かかるコンテンツリスト転送要求は、プレーヤデバイス３０によって選択されたサーバデバイス２０に保存されており当該プレーヤデバイス３０に対して提供可能なコンテンツに係るコンテンツリストを転送するように要求するものである。
【００６１】
コンテンツリスト送信部１３は、モバイルデバイス１０が、移動先ネットワーク４０に在圏している場合に、コンテンツを保存するサーバデバイスのアドレス情報を含むコンテンツリストをリムーバブルメディア１０８又は記憶部１０５から抽出して、通信モジュール１０６を介して、プレーヤデバイス３０に対して、当該コンテンツリストを送信するように構成されている。
【００６２】
具体的には、コンテンツリストは、各コンテンツの識別情報（例えば、コンテンツの名称等）と、当該各コンテンツを保存するサーバデバイスのアドレス情報（例えば、ＵＲＬやグローバルＩＰアドレス等）とを関連付けるものである。
【００６３】
移動通知送信部１４は、モバイルデバイス１０が、移動先ネットワーク４０に在圏しなくなる場合に、通信モジュール１０６を介して、サーバデバイス２０（又は、中継サーバデバイス５００）に対して、その旨を通知するための移動通知を送信するように構成されている。
【００６４】
ここで、移動通知送信部１４は、上述の移動通知を送信することによって、サーバデバイス２０（又は、中継サーバデバイス５００）に対して、モバイルデバイス１０を介することなくサーバデバイス２０（又は、中継サーバデバイス５００）からプレーヤデバイス３０に対してコンテンツを送信することを停止するように指示することができる。
【００６５】
図４に、サーバデバイス２０（又は、中継サーバデバイス５００）のハードウェア構成について示す。サーバデバイス２０（又は、中継サーバデバイス５００）のハードウェア構成は、モバイルデバイス１０のハードウェア構成と同様であるため、両者の差分のみについて、図４を参照しながら説明する。
【００６６】
ＨＤＤ２０８は、上述のコンテンツ及びコンテンツリストを記憶するように構成されている。なお、中継サーバデバイス５００に設けられているＨＤＤ２０８は、各サーバデバイス２０に保存されているコンテンツ及びコンテンツリストを記憶するように構成されている。
【００６７】
次に、図５を参照して、本実施形態に係るサーバデバイス２０の機能について説明する。図５に示すように、本実施形態に係るサーバデバイス２０の機能は、ＣＰＵ２０１がプログラム１００Ｂを実行することによって実現される。
【００６８】
図５に示すように、本実施形態に係るサーバデバイス２０の機能は、サーバデバイス情報送信部２１と、コンテンツリスト送信部２２と、コンテンツ送信部２３と、移動通知受信部２４とを具備している。
【００６９】
サーバデバイス情報送信部２１は、モバイルデバイス１０からのサーバデバイス情報確認要求に応じて、通信モジュール２０６を介して、モバイルデバイス１０に対して、当該サーバデバイス２０（又は、ホームネットワーク５０に属する１つ又は複数のサーバデバイス２０）を示すサーバデバイス情報を送信するように構成されている。
【００７０】
コンテンツリスト送信部２２は、モバイルデバイス１０からのコンテンツリスト転送要求に応じて、通信モジュール２０６を介して、モバイルデバイス１０に対して、当該サーバデバイス２０（又は、中継サーバデバイス５００）に保存されており当該プレーヤデバイス３０に対して提供可能なコンテンツに係るコンテンツリストを送信するように構成されている。
【００７１】
移動通知受信部２４は、通信モジュール２０６を介して、モバイルデバイス１０から、上述の移動通知を受信するように構成されている。
【００７２】
コンテンツ送信部２３は、プレーヤデバイス３０からコンテンツ転送要求を受信した場合で、かつ、モバイルデバイス１０が移動先ネットワーク４０に在圏していると判断した場合に、かかるプレーヤデバイス３０に対して、モバイルデバイス１０を介することなく、コンテンツを転送するように構成されている。
【００７３】
また、コンテンツ送信部２３は、プレーヤデバイス３０に対してコンテンツを転送中に、モバイルデバイス１０が移動先ネットワーク４０に在圏しなくなったと判断した場合に、かかるプレーヤデバイス３０に対するかかるコンテンツの転送を停止するように構成されている。
【００７４】
ここで、コンテンツ送信部２３は、移動通知受信部２４によってモバイルデバイス１０から移動通知が受信された場合に、かかるモバイルデバイス１０が移動先ネットワーク４０に在圏しなくなったと判断するように構成されている。
【００７５】
（本発明の第１の実施形態に係る通信システムの動作）
図６を参照して、本発明の第１の実施形態に係る通信システムの動作について説明する。
【００７６】
図６に示すように、ステップＳ１００１において、モバイルデバイス１０が、当該モバイルデバイス１０のホームネットワーク５０に属する１つ又は複数のサーバデバイス２０を確認するためのサーバデバイス情報確認要求を、各サーバデバイス２０（又は、中継サーバデバイス５００）に送信する。
【００７７】
ステップＳ１００２において、各サーバデバイス２０（又は、中継サーバデバイス５００）は、かかるサーバデバイス情報確認要求に応じて、当該サーバデバイス２０（又は、ホームネットワーク５０に属する１つ又は複数のサーバデバイス２０）を示すサーバデバイス情報を、モバイルデバイス１０に対して送信する。
【００７８】
モバイルデバイス１０は、ステップＳ１００３において、仮想サーバデバイスとして起動し、ステップＳ１００４において、受信したサーバデバイス情報をプレーヤデバイス３０に送信する。
【００７９】
プレーヤデバイス３０は、ステップＳ１００５において、ユーザ操作に応じて、サーバデバイス情報に含まれるサーバデバイス２０の中から１つ又は複数のサーバデバイス２０を選択し、ステップＳ１００６において、選択したサーバデバイス２０に保存されているコンテンツに係るコンテンツリストを転送するように要求するコンテンツ転送要求をモバイルデバイス１０に対して送信する。
【００８０】
ステップＳ１００７において、モバイルデバイス１０は、受信したコンテンツ転送要求を、選択されたサーバデバイス２０（又は、中継サーバデバイス５００）に送信する。
【００８１】
ステップＳ１００８において、かかるサーバデバイス２０（又は、中継サーバデバイス５００）は、当該サーバデバイス２０に保存されているコンテンツに係るコンテンツリストを、モバイルデバイス１０に送信する。
【００８２】
ここで、かかるコンテンツリストは、プレーヤデバイス３０に対して提供可能な１つ又は複数のコンテンツの識別情報と、当該コンテンツが保存されているサーバデバイス２０のアドレス情報（例えば、ＵＲＬやグローバルＩＰアドレス等）とを含むものである。
【００８３】
ステップＳ１００９において、モバイルデバイス１０は、受信したコンテンツリストを、プレーヤデバイス３０に送信する。
【００８４】
プレーヤデバイス３０は、ステップＳ１０１０において、ユーザ操作に応じて、受信したコンテンツリストに含まれるコンテンツの中から、所望のコンテンツを選択し、ステップＳ１０１１において、当該コンテンツに関連付けられているサーバデバイスのアドレス情報を用いて、当該コンテンツを転送するように要求するコンテンツ転送要求を、当該サーバデバイス２０（又は、中継サーバデバイス５００）に対して送信する。
【００８５】
ここで、当該サーバデバイスのアドレス情報が、ＵＲＬである場合、プレーヤデバイス３０は、ＤＤＮＳ７０によるアドレス解決処理を利用して、当該ＵＲＬに対応するグローバルＩＰアドレスを取得する。
【００８６】
ステップＳ１０１２において、当該サーバデバイス２０（又は、中継サーバデバイス５００）は、受信したコンテンツ転送要求に応じて、当該コンテンツを、モバイルデバイス１０を介することなくプレーヤデバイス３０に送信する。
【００８７】
その後、モバイルデバイス１０は、移動先ネットワークに在圏しなくなる場合（ステップＳ１０１３）、ステップＳ１０１４において、当該サーバデバイス２０（又は、中継サーバデバイス５００）に対して、その旨を示す移動通知を送信する。
【００８８】
ステップＳ１０１５において、当該サーバデバイス２０（又は、中継サーバデバイス５００）は、受信した移動通知に応じて、プレーヤデバイス３０に対するコンテンツの転送を停止する。
【００８９】
ここで、図６におけるステップＳ１００４において、モバイルデバイス１０は、コンテンツを保存するサーバデバイス２０（或いは、中継サーバデバイス５００）のアドレス情報のみを、プレーヤデバイス３０に対して通知し、プレーヤデバイス３０は、かかるアドレス情報に基づいて、サーバデバイス２０（或いは、中継サーバデバイス５００）に対して、コンテンツリスト及びコンテンツを転送するように要求するコンテンツ転送要求を送信し、サーバデバイス２０（或いは、中継サーバデバイス５００）は、受信したコンテンツ転送要求に応じて、モバイルデバイス１０を介することなく、プレーヤデバイス３０に対して、コンテンツリスト及びコンテンツを転送するように構成されていてもよい。
【００９０】
かかる場合、ステップＳ１００６において、プレーヤデバイス３０が、コンテンツ転送要求をサーバデバイス２０に送信し、ステップＳ１００９において、サーバデバイス２０が、コンテンツリストをプレーヤデバイス３０に送信するため、ステップＳ１００７及びＳ１００８は不要となる。
【００９１】
或いは、図６におけるステップＳ１００４において、モバイルデバイス１０は、コンテンツを保存するサーバデバイス２０（或いは、中継サーバデバイス５００）のアドレス情報を通知後は、プレーヤデバイス３０に対して、サーバデバイス２０の起動や終了等の状態を通知するイベント情報のみを通知し、プレーヤデバイス３０は、コンテンツリストやコンテンツについて、サーバデバイス２０から直接取得し、サーバデバイス２０のイベント情報のみモバイルデバイス１０から取得するように構成されていてもよい。
【００９２】
（本発明の第１の実施形態に係る通信システムの作用・効果）
本発明の第１の実施形態に係る通信システムによれば、モバイルデバイス１０が、移動先ネットワーク４０に在圏している場合にのみ、当該モバイルデバイス１０を介することなくサーバデバイス２０（又は、中継サーバデバイス５００）から当該プレーヤデバイス３０へのコンテンツを転送するように構成することによって、モバイルデバイス１０における処理負荷を増大させることなく、かつ、かかるコンテンツの転送を制御することができる。
【００９３】
（本発明の第２の実施形態に係る通信システム）
次に、本発明の第２の実施形態に係る通信システムについて、上述の第１の実施形態に係る通信システムとの相違点を主として説明する。
【００９４】
ここで、図７を参照して、本実施形態に係る通信システムの動作について説明する。図７に示すステップＳ２００１乃至Ｓ２００６の動作は、図６に示すステップＳ１００１乃至Ｓ１００６の動作と同一である。
【００９５】
ステップＳ２００７において、モバイルデバイス１０は、受信したコンテンツ転送要求と共に、プレーヤデバイス３０の認証処理に必要な情報（認証情報）を送信するように要求する認証情報要求を、選択されたサーバデバイス２０（又は、中継サーバデバイス５００）に送信する。
【００９６】
ステップＳ２００８において、かかるサーバデバイス２０（又は、中継サーバデバイス５００）は、当該サーバデバイス２０に保存されているコンテンツに係るコンテンツリスト及び上述の認証情報を、モバイルデバイス１０に送信する。
【００９７】
ステップＳ２００９において、モバイルデバイス１０は、受信したコンテンツリスト及び認証情報を、プレーヤデバイス３０に送信する。
【００９８】
プレーヤデバイス３０は、ステップＳ２０１０において、ユーザ操作に応じて、受信したコンテンツリストに含まれるコンテンツの中から、所望のコンテンツを選択し、ステップＳ２０１１において、当該コンテンツに関連付けられているサーバデバイスのアドレス情報を用いて、当該コンテンツを転送するように要求するコンテンツ転送要求及び上述の認証情報を、当該サーバデバイス２０（又は、中継サーバデバイス５００）に対して送信する。
【００９９】
ステップＳ２０１２において、当該サーバデバイス２０（又は、中継サーバデバイス５００）は、受信した認証情報を用いてプレーヤデバイス３０に対する認証処理を行う。
【０１００】
かかる認証処理に成功した場合に、ステップＳ２０１３において、当該サーバデバイス２０（又は、中継サーバデバイス５００）は、プレーヤデバイス３０に対して、モバイルデバイスを介することなく、当該コンテンツを転送する。
【０１０１】
図７に示すステップＳ２０１４乃至Ｓ２０１６の動作は、図６に示すステップＳ１０１３乃至Ｓ１０１５の動作と同一である。
【０１０２】
（本発明の第３の実施形態に係る通信システム）
次に、本発明の第３の実施形態に係る通信システムについて、上述の第１の実施形態に係る通信システムとの相違点を主として説明する。
【０１０３】
図８に示すように、本実施形態に係るモバイルデバイス１０の機能は、図３に示す構成に加えて、プレーヤデバイス選択部１５と、コンテンツ転送要求送信部１６とを具備している。
【０１０４】
プレーヤデバイス選択部１５は、移動先ネットワーク４０に属するプレーヤデバイス３０を示す複数のプレーヤデバイス情報を取得し、操作部１０５を介したユーザ操作命令に応じて、かかるプレーヤデバイス情報に含まれる複数のプレーヤデバイス３０の中から、所望のプレーヤデバイス３０を選択するように構成されている。
【０１０５】
コンテンツ転送要求送信部１６は、モバイルデバイス１０が、移動先ネットワーク４０に在圏している場合に、サーバデバイス２０（又は、中継サーバデバイス５００）に対して、所望のコンテンツを、選択したプレーヤデバイス３０に転送するように要求するコンテンツ転送要求を送信するように構成されている。
【０１０６】
次に、図９を参照して、本実施形態に係る通信システムの動作について説明する。
【０１０７】
図９に示すように、ステップＳ３００１において、モバイルデバイス１０が、当該モバイルデバイス１０のホームネットワーク５０に属する１つ又は複数のサーバデバイス２０を確認するためのサーバデバイス情報確認要求を、各サーバデバイス２０（又は、中継サーバデバイス５００）に送信する。
【０１０８】
ステップＳ３００２において、各サーバデバイス２０（又は、中継サーバデバイス５００）は、かかるサーバデバイス情報確認要求に応じて、当該サーバデバイス２０（又は、ホームネットワーク５０に属する１つ又は複数のサーバデバイス２０）を示すサーバデバイス情報を、モバイルデバイス１０に対して送信する。
【０１０９】
モバイルデバイス１０は、ステップＳ３００３において、移動先ネットワーク４０に在圏するプレーヤデバイス３０を検索するためのプレーヤデバイス情報検索要求を送信し、ステップＳ３００４において、各プレーヤデバイス３０から、プレーヤデバイス情報を取得する。
【０１１０】
ステップＳ３００５において、モバイルデバイス１０は、取得したプレーヤデバイス情報に含まれる複数のプレーヤデバイス３０の中から、所望のプレーヤデバイス３０を選択する。
【０１１１】
ステップＳ３００６において、モバイルデバイス１０は、所望のサーバデバイス２０に保存されているコンテンツに係るコンテンツリストを転送するように要求するコンテンツ転送要求を、サーバデバイス２０（又は、中継サーバデバイス５００）に対して送信する。
【０１１２】
ステップＳ３００７において、かかるサーバデバイス２０（又は、中継サーバデバイス５００）は、当該サーバデバイス２０に保存されているコンテンツに係るコンテンツリストを、モバイルデバイス１０に送信する。
【０１１３】
モバイルデバイス１０は、ステップＳ３００８において、ユーザ操作に応じて、受信したコンテンツリストに含まれるコンテンツの中から、所望のコンテンツを選択し、ステップＳ３００９において、当該コンテンツに関連付けられているサーバデバイスのアドレス情報を用いて、当該コンテンツをプレーヤデバイス３０に転送するように要求するコンテンツ転送要求を、当該サーバデバイス２０（又は、中継サーバデバイス５００）に対して送信する。
【０１１４】
ステップＳ３０１０において、当該サーバデバイス２０（又は、中継サーバデバイス５００）は、受信したコンテンツ転送要求に応じて、当該コンテンツを、モバイルデバイス１０を介することなくプレーヤデバイス３０に送信する。
【０１１５】
図９に示すステップＳ３０１１乃至Ｓ３０１３の動作は、図６に示すステップＳ１０１３乃至Ｓ１０１５の動作と同一である。
【０１１６】
ここで、サーバデバイス２０から通知されるコンテンツリストのうち、当該各コンテンツを保存するサーバデバイスのアドレス情報について、悪意のあるユーザによる視聴を許さないため、サーバデバイス２０（又は、中継サーバデバイス５００）は、モバイルデバイス１０が在圏する移動先ネットワーク４０に属するプレーヤデバイス３０からのコンテンツリスト転送要求のみを受け入れるようにする。
【０１１７】
更に、サーバデバイス２０は、当該移動先ネットワーク４０に属するプレーヤデバイス３０に対して当該アドレス情報を公開するに当たっては、当該アドレス情報を容易に類推できないような難読化を施すように構成されていてもよいし、一度視聴が行われたアドレス情報や、受信から一定時間が経過したアドレス情報について更新処理を施した上で、モバイルデバイス１０に対してその旨を通知するように構成されていてもよい。
【０１１８】
また、図１０に示すように、モバイルデバイス１０は、ステップＢ００７において、サーバデバイス２０から取得したコンテンツを再生している途中で、ステップＢ００８において、移動先ネットワーク４０に在圏するプレーヤデバイス３０を検索するためのプレーヤデバイス情報検索要求を送信し、ステップＢ００９において、各プレーヤデバイス３０から、プレーヤデバイス情報を取得する。
【０１１９】
ステップＢ０１０において、モバイルデバイス１０は、取得したプレーヤデバイス情報に含まれる複数のプレーヤデバイス３０の中から、所望のプレーヤデバイス３０を選択する。
【０１２０】
モバイルデバイス１０は、ステップＢ０１１において、現在モバイルデバイス１０で視聴しているコンテンツの転送を停止させると同時に、選択したプレーヤデバイス３０に対して当該コンテンツを引き続き転送するように要求するコンテンツ転送要求を、当該サーバデバイス２０（又は、中継サーバデバイス５００）に対して送信する。
【０１２１】
ステップＢ０１２において、当該サーバデバイス２０（又は、中継サーバデバイス５００）は、受信したコンテンツ転送要求に応じて、当該コンテンツを、モバイルデバイス１０を介することなくプレーヤデバイス３０に送信する。
【０１２２】
（本発明の第４の実施形態に係る通信システム）
次に、本発明の第４の実施形態に係る通信システムについて、上述の第３の実施形態に係る通信システムとの相違点を主として説明する。
【０１２３】
以下、図１１を参照して、本実施形態に係る通信システムの動作について説明する。
【０１２４】
図１１に示すように、モバイルデバイス１０は、ステップＡ００８において、ユーザ操作に応じて、受信したコンテンツリストに含まれるコンテンツの中から、所望のコンテンツを選択し、ステップＡ００９ａにおいて、当該コンテンツに関連付けられているサーバデバイスのアドレス情報をコンテンツ取得要求としてプレーヤデバイス３０に対して通知する。
【０１２５】
ステップＡ００９において、プレーヤデバイス３０は、当該コンテンツをプレーヤデバイス３０に転送するように要求するコンテンツ転送要求を、当該サーバデバイス２０（又は、中継サーバデバイス５００）に対して送信する。
【０１２６】
なお、図１１に示すその他のステップの動作は、図９に示す動作と同一である。
【０１２７】
（本発明の第５の実施形態に係る通信システム）
次に、本発明の第５の実施形態に係る通信システムについて、上述の第１の実施形態に係る通信システムとの相違点を主として説明する。
【０１２８】
以下、図１２を参照して、本実施形態に係る通信システムの動作について説明する。
【０１２９】
図１２に示すように、ステップＳ４００１において、モバイルデバイス１０が、当該モバイルデバイス１０のホームネットワーク５０に在圏している状態で、当該ホームネットワーク５０に属する１つ又は複数のサーバデバイス２０を確認するためのサーバデバイス情報確認要求を、各サーバデバイス２０（又は、中継サーバデバイス５００）に送信する。
【０１３０】
ステップＳ４００２において、各サーバデバイス２０（又は、中継サーバデバイス５００）は、かかるサーバデバイス情報確認要求に応じて、当該サーバデバイス２０（又は、ホームネットワーク５０に属する１つ又は複数のサーバデバイス２０）を示すサーバデバイス情報を、モバイルデバイス１０に対して送信する。
【０１３１】
ステップＳ４００３において、モバイルデバイス１０が、当該モバイルデバイス１０のホームネットワーク５０に在圏している状態で、所望のサーバデバイス２０に保存されているコンテンツに係るコンテンツリストを転送するように要求するコンテンツ転送要求を、サーバデバイス２０（又は、中継サーバデバイス５００）に対して送信する。
【０１３２】
ステップＳ４００４において、かかるサーバデバイス２０（又は、中継サーバデバイス５００）は、当該サーバデバイス２０に保存されているコンテンツに係るコンテンツリストを、モバイルデバイス１０に送信する。
【０１３３】
ここで、かかるコンテンツリストは、プレーヤデバイス３０に対して提供可能な１つ又は複数のコンテンツの識別情報と、当該コンテンツが保存されているサーバデバイス２０のアドレス情報（例えば、ＵＲＬやプライベートＩＰアドレス等）とを含むものである。
【０１３４】
その後、モバイルデバイス１０は、ホームネットワーク５０から移動先ネットワーク４０に移動した後、ステップＳ４００５において、仮想サーバデバイスとして起動し、ステップＳ４００６において、受信したサーバデバイス情報をプレーヤデバイス３０に送信する。
【０１３５】
プレーヤデバイス３０は、ステップＳ４００７において、ユーザ操作に応じて、サーバデバイス情報に含まれるサーバデバイス２０の中から１つ又は複数のサーバデバイス２０を選択し、ステップＳ４００８において、選択したサーバデバイス２０に保存されているコンテンツに係るコンテンツリストを転送するように要求するコンテンツ転送要求をモバイルデバイス１０に対して送信する。
【０１３６】
ステップＳ４００９において、モバイルデバイス１０は、受信したコンテンツ転送要求に応じて、選択されたサーバデバイス２０（又は、中継サーバデバイス５００）に対して、ステップＳ４００４で取得したコンテンツリストとの差分情報を転送するように要求するコンテンツリスト差分確認要求を送信する。
【０１３７】
ステップＳ４０１０において、かかるサーバデバイス２０（又は、中継サーバデバイス５００）は、当該サーバデバイス２０に保存されているコンテンツに係るコンテンツリストとステップＳ４００４で送信したコンテンツリストとの差分情報を、モバイルデバイス１０に送信する。
【０１３８】
ステップＳ４０１１において、モバイルデバイス１０は、ステップＳ４００４で取得したコンテンツリストとステップＳ４０１０で取得した差分情報とに応じて、最新のコンテンツリストを生成してプレーヤデバイス３０に送信する。
【０１３９】
ここで、モバイルデバイス１０は、取得したコンテンツリストに含まれるサーバアドレス２０のアドレス情報（プライベートＩＰアドレス）を、プレーヤデバイス３０からサーバデバイス２０にアクセス可能なアドレス情報（グローバルＩＰアドレス）に変換する。
【０１４０】
図１１に示すステップＳ４０１２乃至Ｓ４０１７の動作は、図６に示すステップＳ１０１０乃至Ｓ１０１５の動作と同一である。
【０１４１】
（本発明の第６の実施形態に係る通信システム）
次に、本発明の第５の実施形態に係る通信システムについて、上述の第１の実施形態に係る通信システムとの相違点を主として説明する。
【０１４２】
図１３に示すように、本実施形態に係るモバイルデバイス１０の機能は、図３に示す構成に加えて、コンテンツ転送状況確認部１７と、コンテンツ取得部１８と、コンテンツ送信部１９とを具備している。
【０１４３】
コンテンツ転送状況確認部１７は、サーバデバイス２０によるコンテンツの転送状況を取得するように構成されている。
【０１４４】
具体的には、コンテンツ転送状況確認部１７は、サーバデバイス２０（又は、中継サーバデバイス５００）に対してコンテンツ転送状況確認要求（後述）を送信することによって、当該サーバデバイス２０（又は、当該中継サーバデバイス５００）によるコンテンツの転送状況を確認するように構成されていてもよい。
【０１４５】
また、コンテンツ転送状況確認部１７は、サーバデバイス２０（又は、中継サーバデバイス５００）によるコンテンツの転送状況を監視するように構成されていてもよい。
【０１４６】
ここで、コンテンツの転送状況として、サーバデバイス２０（又は、中継サーバデバイス５００）から１つ又は複数のプレーヤデバイス３０に対して当該コンテンツが転送された回数を示す再生回数や、サーバデバイス２０（又は、中継サーバデバイス５００）から１つ又は複数のプレーヤデバイス３０に対する当該コンテンツの転送が失敗した回数（確率）を示す転送失敗回数（転送失敗確率）等が想定される。
【０１４７】
コンテンツ取得部１８は、かかる転送状況に基づいて所定条件を満たすと判定するコンテンツを、サーバデバイス２０（又は、中継サーバデバイス５００）から取得するように構成されている。
【０１４８】
例えば、コンテンツ取得部１８は、上述の再生回数が所定閾値以上のコンテンツについて、予めサーバデバイス２０（又は、中継サーバデバイス５００）から取得して記憶しておくように構成されていてもよい。
【０１４９】
また、コンテンツ取得部１８は、上述の転送失敗回数（転送失敗確率）が所定閾値以上のコンテンツについて、インターネット６ではなく、移動通信ネットワーク（例えば、ＦＯＭＡ（登録商標）ネットワーク）を介して、取得するように構成されていてもよい。
【０１５０】
コンテンツ送信部１９は、コンテンツ取得部１８によって取得されたコンテンツを、プレーヤデバイス３０に対して送信するように構成されている
以下、図１４を参照して、本実施形態に係る通信システムの動作について説明する。
【０１５１】
図１４に示すように、プレーヤデバイス３０が、ステップＳ５００１において、所望のコンテンツを選択し、ステップＳ５００２において、選択したコンテンツを転送するように要求するコンテンツ転送要求を、サーバデバイス２０（又は、中継サーバデバイス５００）に送信する。
【０１５２】
サーバデバイス２０（又は、中継サーバデバイス５００）は、ステップＳ５００３において、コンテンツの転送状況を集計すると共に、ステップＳ５００４において、かかるコンテンツを、モバイルデバイス１０を介することなくプレーヤデバイス３０に送信する。
【０１５３】
その後、モバイルデバイス１０は、ステップＳ５００６において、最新のコンテンツの転送状況を確認するためのコンテンツ転送状況確認要求を、サーバデバイス２０（又は、中継サーバデバイス５００）に送信する。
【０１５４】
ステップＳ５００７において、サーバデバイス２０（又は、中継サーバデバイス５００）は、当該サーバデバイス２０に保存されているコンテンツの転送状況を、モバイルデバイス１０に送信する。
【０１５５】
モバイルデバイス１０は、ユーザ操作に応じて、ステップＳ５００８において、所定条件を満たすと判定するコンテンツ（例えば、上述の再生回数や転送失敗回数（転送失敗確率）が所定閾値以上のコンテンツ等）を指定し、ステップＳ５００９において、かかるコンテンツを転送するように要求するコンテンツ転送要求を、サーバデバイス２０（又は、中継サーバデバイス５００）に送信する。
【０１５６】
ステップＳ５０１０において、サーバデバイス２０（又は、中継サーバデバイス５００）は、受信したコンテンツ転送要求に応じて、かかるコンテンツをモバイルデバイス１０に送信する。
【０１５７】
ここで、モバイルデバイス１０は、プレーヤデバイス３０に対して、コンテンツリストを通知する際に、ステップＳ５０１０において事前に取得され保存されているコンテンツの識別情報或いはモバイルデバイス１０に保存されているコンテンツの識別情報についても通知するように構成されていていてもよい。
【０１５８】
（本発明の第７の実施形態に係る通信システム）
次に、本発明の第７の実施形態に係る通信システムについて、上述の第１の実施形態に係る通信システムとの相違点を主として説明する。
【０１５９】
本実施形態では、図１５に示すように、プレーヤデバイス３０及び中継デバイス６００は、モバイルデバイス１０のホームネットワーク５０に属している。また、図１５の例では、モバイルデバイス１０は、移動先ネットワーク４０に在圏しており、サーバデバイス２０は、かかる移動先ネットワーク４０に属している。
【０１６０】
ここで、中継デバイス６００は、ホームネットワーク５０に属するＢＢＲ５１０とインターネット６０と移動先ネットワーク４０に属するＢＢＲ４１０とを介して、モバイルデバイス１０との間でコネクション＃１を確立するように構成されている。
【０１６１】
また、中継デバイス６００は、ＢＢＲ５１０とインターネット６０とＢＢＲ４１０とを介して、サーバデバイス２０との間でコネクション＃３を確立するように構成されている。
【０１６２】
以下、本実施形態では、中継デバイス６００が、ホームネットワーク５０内に属する複数のプレーヤデバイス３０の代理を行う例について説明するが、本発明は、中継デバイス６００が、複数のプレーヤデバイス３０の代理を行わない例についても適用可能である。
【０１６３】
したがって、本明細書における「プレーヤデバイス」という用語には、プレーヤデバイス３０及び中継デバイス６００の両方が含まれているものとする。
【０１６４】
以下、図１６を参照して、本実施形態に係る通信システムの動作について説明する。
【０１６５】
図１６に示すように、ステップＳ６００１において、モバイルデバイス１０が、当該モバイルデバイス１０が在圏している移動先ネットワーク４０に属する１つ又は複数のサーバデバイス２０を確認するためのサーバデバイス情報確認要求を、各サーバデバイス２０に送信する。
【０１６６】
ステップＳ６００２において、各サーバデバイス２０は、かかるサーバデバイス情報確認要求に応じて、当該サーバデバイス２０を示すサーバデバイス情報を、モバイルデバイス１０に対して送信する。
【０１６７】
モバイルデバイス１０は、ステップＳ６００３において、仮想サーバデバイスとして起動し、ステップＳ６００４において、受信したサーバデバイス情報を、ホームネットワーク５０に属するプレーヤデバイス３０（又は、中継デバイス６００）に送信する。
【０１６８】
図１６に示すステップＳ６００５乃至Ｓ６０１５の動作は、図６に示すステップＳ１００５乃至Ｓ１０１５の動作と同一である。
【０１６９】
ここで、図１７に示すように、モバイルデバイス１０が、ステップＣ００５において、プレーヤデバイス２０を予め選択しておき、ステップＣ００９において、表示すべきコンテンツをコンテンツ転送要求としてサーバデバイス２０に通知すことによって、ステップＣ０１０において、サーバデバイス２０からプレーヤデバイス３０にモバイルデバイス１０を介することなくコンテンツが転送されて表示されてもよい。この際、プレーヤデバイス３０又は中継デバイス６００が、当該コンテンツを受信してもよい。
【０１７０】
また、図１８に示すように、モバイルデバイス１０が、Ｄ００５において、プレーヤデバイス３０を予め選択しておき、ステップＤ００９において、表示すべきコンテンツをコンテンツ取得要求としてプレーヤデバイス２０に通知した後、ステップＤ０１０において、プレーヤデバイス３０が、サーバデバイス２０にコンテンツ転送要求を送信することによって、ステップＤ０１１において、サーバデバイス２０からプレーヤデバイス３０にモバイルデバイス１０を介することなくコンテンツが転送されて表示されてもよい。この際、プレーヤデバイス３０又は中継デバイス６００が、当該コンテンツを受信してもよい。
【０１７１】
（変更例１）
変更例１に係る通信システムでは、モバイルデバイス１０の移動通知送信部１４は、上述の移動通知を送信する代わりに、移動先ネットワーク４０に在圏している場合、サーバデバイス２０（又は、中継サーバデバイス５００）に対して、所定間隔で、所定信号を送信するように構成されている。
【０１７２】
そして、サーバデバイス２０（又は、中継サーバデバイス５００）は、モバイルデバイス１０から当該所定信号を受信しなくなった場合に、当該モバイルデバイス１０が移動先ネットワーク４０に在圏しなくなったと判断するように構成されている。
【０１７３】
或いは、変更例１に係る通信システムでは、モバイルデバイス１０の移動通知送信部１４は、移動先ネットワーク４０に在圏している場合、所定間隔で、サーバデバイス２０から送信された所定信号を受信し、かかるサーバデバイス２０に対して、かかる所定信号に対する応答信号を送信するように構成されていてもよい。
【０１７４】
そして、サーバデバイス２０（又は、中継サーバデバイス５００）は、モバイルデバイス１０から前記応答信号を受信しなくなった場合に、当該モバイルデバイス１０が移動先ネットワーク４０に在圏しなくなったと判断するように構成されていてもよい。
【０１７５】
また、変更例１に係る通信システムは、図１９に示す動作を行うように構成されていてもよい。
【０１７６】
図１９に示すように、ステップＥ００１において、モバイルデバイス１０は、所定期間或いは所定回数によって定義されるサービス期間を設定する。
【０１７７】
ステップＥ００２において、モバイルデバイス１０は、プレーヤデバイス３０に対して、設定されたサービス期間を通知する。
【０１７８】
モバイルデバイス１０は、ステップＥ００３において、サーバデバイス２０（又は、中継デバイス５００）に対して、移動通知及び接続継続通知を送信し、ステップＥ００４において、移動先ネットワーク４０から離脱する。
【０１７９】
ここで、移動通知は、モバイルデバイス１０が移動先ネットワーク４０から離脱することを通知するものであり、接続継続通知は、ステップＥ００１において設定された所定期間或いは所定回数だけ、プレーヤデバイス３０から送信されたコンテンツリスト及びコンテンツ転送要求を受け入れるように要求するものである。
【０１８０】
そして、サーバデバイス２０（又は、中継デバイス５００）は、接続継続通知を受信した後、モバイルデバイス１０との間で行われていた上述の所定信号のやり取りを中止し、上述の所定回数或いは所定期間だけ、コンテンツリスト或いはコンテンツを転送した後（ステップＥ００５及びＥ００６）、コンテンツリスト或いはコンテンツの転送を停止する（ステップＥ００７）。
【０１８１】
なお、ステップＥ００８において、プレーヤデバイス３０は、蓄積していたサーバデバイス２０（又は、中継サーバ５００）に係るサーバ情報を削除する。  この結果、プレーヤデバイス３０は、所定期間或いは所定回数だけではあるが、モバイルデバイス１０が移動先ネットワーク４０から離脱してしまった後であっても、サーバデバイス２０（又は、中継サーバ５００）からコンテンツを取得して再生することができる。
【０１８２】
そして、所定期間或いは所定回数のコンテンツの取得及び再生後、プレーヤデバイス３０は、サーバデバイス２０（又は、中継サーバ５００）に係るサーバ情報を削除し、サーバデバイス２０（又は、中継サーバ５００）は、プレーヤデバイス３０からのアクセス（コンテンツリストやコンテンツに対する）を拒否することができる。
【０１８３】
（変更例２）
変更例２に係る通信システムでは、モバイルデバイス１０のコンテンツリスト送信部１３は、上述のコンテンツリストと共に、各コンテンツの再生状況を示す視聴途中情報（しおり情報）を、プレーヤデバイス３０に対して送信するように構成されている。
【０１８４】
そして、プレーヤデバイス３０は、受信した視聴途中情報に基づいて、サーバデバイス２０（又は、中継サーバデバイス５００）から転送されたコンテンツを再生するように構成されている。
【０１８５】
具体的には、視聴途中情報に、「１０分経過時点」や「１０ｋｂｙｔｅ時点」と設定されている場合、プレーヤデバイス３０は、当該視聴途中情報に関連付けられているコンテンツについては、「１０分経過時点」や「１０ｋｂｙｔｅ時点」から再生するように構成されている。
【０１８６】
なお、かかる視聴途中情報は、サーバデバイス２０（又は、中継サーバデバイス５００）によって設定されてもよいし、モバイルデバイス１０によって設定されてもよい。
【０１８７】
この結果、プレーヤデバイス３０は、モバイルデバイス１０や他のプレーヤデバイスによる再生状況を引き継ぐことができる。
【０１８８】
（変更例３）
変更例３に係る通信システムでは、モバイルデバイス１０のコンテンツリスト送信部１３は、上述のコンテンツリストと共に、プレーヤデバイス３０に対して転送可能なコンテンツについての制約事項を、サーバデバイス２０（又は、中継サーバデバイス５００）から取得して、取得した制約事項をプレーヤデバイス３０に対して通知するように構成されている。
【０１８９】
プレーヤデバイス３０は、通知された制約事項に基づいて、サーバデバイス２０（又は、中継サーバデバイス５００）からコンテンツを取得するように構成されている。
【０１９０】
ここで、かかる制約事項は、通常は、ホームネットワーク５０外のプレーヤデバイス３０に対して転送しないコンテンツについて、所定期間或いは所定回数だけ、特定のプレーヤデバイス３０に対して転送することを許可するための許可情報（例えば、認証情報を含む）である。
【０１９１】
例えば、かかる制約事項は、通常は、ホームネットワーク５０外のプレーヤデバイス３０に対しては、音声コンテンツのみ提供し、映像コンテンツを提供しないという環境化において、特定のプレーヤデバイス３０に対しては、所定期間或いは所定回数だけ、映像コンテンツを転送することを許可するための許可情報である。
【０１９２】
かかる場合、特定のプレーヤデバイス３０は、通知された制約事項に基づいて、サーバデバイス２０（又は、中継サーバデバイス５００）から、音声コンテンツだけでなく映像コンテンツをも取得することができる。
【０１９３】
（変更例４）
変更例４に係る通信システムでは、モバイルデバイス１０は、サーバデバイス２０（又は、中継サーバデバイス５００）からプレーヤデバイス３０に対して転送されているコンテンツに関する付帯情報（サムネイルやダイジェクト画像等）を取得して表示するように構成されている。
【０１９４】
（変更例５）
変更例５に係る通信システムでは、上述のコンテンツリストは、モバイルデバイス１０ごとに異なっていてもよい。
【０１９５】
すなわち、各モバイルデバイス１０は、サーバデバイス２０（又は、中継サーバデバイス５００）から取得したコンテンツリストを再構成して、プレーヤデバイス３０に提供するように構成されていてもよい。
【０１９６】
また、サーバデバイス２０（又は、中継サーバデバイス５００）が、モバイルデバイス１０ごとに異なるコンテンツリストを提供するように構成されていてもよい。
【０１９７】
すなわち、サーバデバイス２０（又は、中継サーバデバイス５００）は、ＨＤＤ２０８に保存している全てのコンテンツについて、コンテンツリストに含めなくてもよい。
【０１９８】
例えば、サーバデバイス２０（又は、中継サーバデバイス５００）は、各プレーヤデバイス３０による再生回数や再生頻度（又は、各モバイルデバイス１０が仲介した再生回数や再生頻度）を考慮して、かかる再生回数や再生頻度が高いコンテンツを優先的にコンテンツリストに含めるように構成されていてもよい。
【０１９９】
（変更例６）
変更例６に係る通信システムでは、モバイルデバイス１０は、プレーヤデバイス３０において受信したコンテンツに対する所定処理を行うように構成されている。
【０２００】
例えば、モバイルデバイス１０は、サーバデバイス２０（又は、中継サーバデバイス５００）から当該モバイルデバイス１０を介することなくプレーヤデバイス３０に対して転送されたコンテンツに対して、複製処理や削除処理や編集処理や再生処理（２倍速再生処理やＣＭスキップ処理等を含む）等を行うことができる。
【０２０１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０２０２】
【図１】本発明の第１の実施形態に係る通信システムの全体構成図である。
【図２】本発明の第１の実施形態に係るモバイルデバイスのハードウェア構成図である。
【図３】本発明の第１の実施形態に係るモバイルデバイスのソフトウェア構成図である。
【図４】本発明の第１の実施形態に係るサーバデバイスのハードウェア構成図である。
【図５】本発明の第１の実施形態に係るサーバデバイスのソフトウェア構成図である。
【図６】本発明の第１の実施形態に係る通信システムの動作を示すシーケンス図である。
【図７】本発明の第２の実施形態に係る通信システムの動作を示すシーケンス図である。
【図８】本発明の第３の実施形態に係るモバイルデバイスのソフトウェア構成図である。
【図９】本発明の第３の実施形態に係る通信システムの動作を示すシーケンス図である。
【図１０】本発明の第３の実施形態に係る通信システムの動作を示すシーケンス図である。
【図１１】本発明の第４の実施形態に係る通信システムの動作を示すシーケンス図である。
【図１２】本発明の第５の実施形態に係る通信システムの動作を示すシーケンス図である。
【図１３】本発明の第６の実施形態に係るモバイルデバイスのソフトウェア構成図である。
【図１４】本発明の第６の実施形態に係る通信システムの動作を示すシーケンス図である。
【図１５】本発明の第７の実施形態に係る通信システムの全体構成図である。
【図１６】本発明の第７の実施形態に係る通信システムの動作を示すシーケンス図である。
【図１７】本発明の第７の実施形態に係る通信システムの動作を示すシーケンス図である。
【図１８】本発明の第７の実施形態に係る通信システムの動作を示すシーケンス図である。
【図１９】本発明の変更例１に係る通信システムの動作を示すシーケンス図である。
【図２０】従来の通信システムの問題点について説明するための図である。
【図２１】従来の通信システムの問題点について説明するための図である。
【符号の説明】
【０２０３】
１０…モバイルデバイス
１０１…ＣＰＵ
１０２…ＲＡＭ
１０３…ＲＯＭ
１０４…操作部
１０５…記憶部
１０６…通信モジュール
１０７…セキュリティモジュール
１０８…リムーバブルメディア
１１…仮想サーバデバイス起動部
１１Ａ…サーバデバイス情報取得部
１２…コンテンツリスト転送要求送信部
１３…コンテンツリスト送信部
１４…移動通知送信部
１５…プレーヤデバイス選択部
１６…コンテンツ転送要求送信部
１７…コンテンツ転送状況確認部
１８…コンテンツ取得部
１９…コンテンツ送信部
２０…サーバデバイス
２１…サーバデバイス情報送信部
２２…コンテンツリスト送信部
２３…コンテンツ送信部
２４…移動通知受信部
３０…プレーヤデバイス
４０…移動先ネットワーク
４１０、５１０…ＢＢＲ
５０…ホームネットワーク
５００…中継サーバデバイス
６０…インターネット
７０…ＤＤＮＳ
【図１】
2009010912.tif 000003
【図２】
2009010912.tif 000004
【図３】
2009010912.tif 000005
【図４】
2009010912.tif 000006
【図５】
2009010912.tif 000007
【図６】
2009010912.tif 000008
【図７】
2009010912.tif 000009
【図８】
2009010912.tif 000010
【図９】
2009010912.tif 000011
【図１０】
2009010912.tif 000012
【図１１】
2009010912.tif 000013
【図１２】
2009010912.tif 000014
【図１３】
2009010912.tif 000015
【図１４】
2009010912.tif 000016
【図１５】
2009010912.tif 000017
【図１６】
2009010912.tif 000018
【図１７】
2009010912.tif 000019
【図１８】
2009010912.tif 000020
【図１９】
2009010912.tif 000021
【図２０】
2009010912.tif 000022
【図２１】
2009010912.tif 000023